(57)【要約】【課題】コンパクトでポケットに入れ携帯し或いは電器製品に設置し使用し、液晶モニタはアクティブでおもしろい図を連続表示し動画效果を形成し、観賞機能を増強し、タイマー使用のおもしろみを強化する点滅図を表示する液晶モニタのタイマーを提供する。【解決手段】  主にタイマーは表面に液晶モニタ、コントロールボタン、スピーカー音孔を設置するケースを含み、内部には電源、回路板、スピーカーを設置し、該電源は該回路板に電力を供給し、該回路板と該液晶モニタ、該コントロールボタン、該スピーカーは電気的に接続し、該スピーカー位置は該スピーカー音孔に対応する。該回路板上には時間計測、拡声機能及び液晶表示プログラムを制御するICを設置し、該液晶モニタはデジタル数字と同時に一個或いは一個以上の図を表示し、該液晶モニタは該IC設定のプログラムに基づき、連続し一連の異なる図を表示可能で、アクティブな画面を構成する。【選択図】  図１
0003105908.tif 000002
【実用新案登録請求の範囲】
【請求項１】
主にタイマーは表面に液晶モニタ、コントロールボタン、スピーカー音孔を設置するケースを含み、内部には電源、回路板、スピーカーを設置し、
該電源は該回路板に電力を供給し、該回路板と該液晶モニタ、該コントロールボタン、該スピーカーは電気的に接続し、
該スピーカー位置は該スピーカー音孔に対応し、
該回路板上には時間計測、拡声機能及び液晶表示プログラムを制御するICを設置し、該液晶モニタは４桁或いは６桁の数字を表示可能で、４桁の数字の場合には最初の２桁の数字は分を表し、後の２桁の数字は秒を表し、或いは最初の２桁の数字は時間を表し、後の２桁の数字は分を表し、６桁の数字の場合には、最初の２桁の数字は時間を表し、中間の２桁の数字は分を表し、後の２桁の数字は秒を表し、同時に一個或いは一個以上の図を表示し、該液晶モニタは該IC設定のプログラムに基づき、連続し一連の異なる図を表示可能で、アクティブな画面を構成することを特徴とする点滅図を表示する液晶モニタのタイマー。
【請求項２】
前記液晶モニタは１／２秒或いは一秒毎に表示を変え、一個或いは一個以上の図を表示し、或いは図を表示せず、表示を連続転換し図点滅の效果を達成することを特徴とする請求項１記載の点滅図を表示する液晶モニタのタイマー。
【請求項３】
前記図はアニメのキャラクター或いは動物の絵とすることができ、連続表示で、動画画面を構成することを特徴とする請求項１記載の点滅図を表示する液晶モニタのタイマー。
【請求項４】
前記液晶モニタは一回毎に一個の絵を表示することを特徴とする請求項１記載の点滅図を表示する液晶モニタのタイマー。
【請求項５】
前記液晶モニタは回数に応じて前記図を累進表示することを特徴とする請求項１記載の点滅図を表示する液晶モニタのタイマー。
【請求項６】
前記コントロールボタンは時計設定ボタン、分設定ボタン、秒設定ボタン、リセットボタン、スタート／停止ボタンを設置することを特徴とする請求項１記載の点滅図を表示する液晶モニタのタイマー。
【請求項７】
前記スピーカーは前期IC設定のプログラムに基づき、特定の状況下で音或いは歌曲を発することを特徴とする請求項１記載の点滅図を表示する液晶モニタのタイマー。
【請求項８】
前記ケースは平面で電器製品に設置され、前記電源は電器製品の電源であることを特徴とする請求項１記載の点滅図を表示する液晶モニタのタイマー。
【考案の詳細な説明】
【技術分野】
【０００１】
本考案は一種のタイマーに関する。特に一種の点滅図を表示する液晶モニタのタイマーで、日常生活用品の領域に属する。
【背景技術】
【０００２】
タイマーの応用範囲は非常に広い。タイマーはスタートから停止までの時間を計算し、また時間を設定し使用者に該時間が来たことを知らせることもできる。
日常生活ではタイマーはしばしば電器製品に設置されている。特にオーブン、電子レンジ、電話、ビデオレコーダーなどの家電に設置されており、食物の調理時間、通話、録画時間などの計測に便利である。また市場では独立型タイマーも存在し、異なる地点において時間を計測することができる。独立型タイマーは台座式で、台所、浴室、机上などにおいて使用できる。また携帯式のタイマーは学校でのテスト時、スポーツの試合での時間計測など異なる場所に携帯し、或いは戸外において使用可能である。
【特許文献１】特開２００１−０８４８８２号公報
【考案の開示】
【考案が解決しようとする課題】
【０００３】
公知構造には以下の欠点があった。
公知のタイマーは外観の美的価値を高めるために、台座式の独立型タイマーの多くはアニメのキャラクター、動物など各種の立体的なデザインに設計されている。しかし、そうなると体積が一般に大きくなってしまい、収納に不便で、携帯し外で使用する場合にも不便である。
また、タイマーの体積を縮小しタイマーをよりコンパクトにしながら、明確に時間を表示可能とするために、公知の携帯式独立型タイマー、及び電器製品に設置するタイマーは、液晶モニタにより時間を表示する。しかし、この種のタイマーの液晶は数字だけを表示するため、単調でおもしろみに欠ける。
本考案は上記構造の問題点を解決した点滅図を表示する液晶モニタのタイマーを提供するものである。
【課題を解決するための手段】
【０００４】
上記課題を解決するため、本考案は下記の点滅図を表示する液晶モニタのタイマーを提供する。
それは主にタイマーは表面に液晶モニタ、コントロールボタン、スピーカー音孔を設置するケースを含み、内部には電源、回路板、スピーカーを設置し、該電源は該回路板に電力を供給し、該回路板と該液晶モニタ、該コントロールボタン、該スピーカーは電気的に接続し、該スピーカー位置は該スピーカー音孔に対応し、
該回路板上には時間計測、拡声機能及び液晶表示プログラムを制御するICを設置し、該液晶モニタは４桁或いは６桁の数字を表示可能で、４桁の数字の場合には最初の２桁の数字は分を表し、後の２桁の数字は秒を表し、或いは最初の２桁の数字は時間を表し、後の２桁の数字は分を表し、６桁の数字の場合には、最初の２桁の数字は時間を表し、中間の２桁の数字は分を表し、後の２桁の数字は秒を表し、同時に一個或いは一個以上の図を表示し、該液晶モニタは該IC設定のプログラムに基づき、連続し一連の異なる図を表示可能で、アクティブな画面を構成し、
さらに、該液晶モニタは1/2秒或いは一秒毎に表示を変え、一個或いは一個以上の図を表示し、或いは図を表示せず、表示を連続転換し図点滅の效果を達成し、
該図はアニメのキャラクター或いは動物の絵とすることができ、連続表示で、動画画面を構成し、
該液晶モニタは一回毎に一個の絵を表示し、
該液晶モニタは回数に応じて該図を累進表示し、
該コントロールボタンは時計設定ボタン、分設定ボタン、秒設定ボタン、リセットボタン、スタート／停止ボタンを設置し、
該スピーカーは前期IC設定のプログラムに基づき、特定の状況下で音或いは歌曲を発し、
該ケースは平面で電器製品に設置され、該電源は電器製品の電源で、
該タイマーの操作方法は以下の通りで、
該タイマーを起動する場合には、該スタート／停止ボタンを押し、既に起動したタイマーを0分0秒或いは0時0分0秒に再設定する場合にはリセットボタンを押し、
時間計測を行う場合には、該スタート／停止ボタンを押し、時間計測をスタートし、該液晶モニタ上の数字は１秒毎にこれまでの時間の総計を表示し、該液晶モニタは同時に一個或いは一個以上の図を表示し、動画画面を構成し、
時間計測を停止する場合には、該スタート／停止ボタンを押し、該液晶モニタ上の数字はスタートから停止までに計測した時間を表示し、もし該スタート／停止ボタンを押さないなら、該タイマーは計測の最高時間に達するまで時間計測を続け、時間計測を停止し、自動的に再設定され、再度時間計測を行う場合には、該スタート／停止ボタンを押し、
カウントダウン時間を設定する場合には、該液晶モニタが６桁の数字であるなら、先ず時間設定ボタンを押し時間を設定し、時間設定ボタンを一回押す毎に該液晶モニタが表示する時間は一時間増加し、時間設定ボタンを長く押し続けるなら、該液晶モニタが表示する時間は急速に増加し、該液晶モニタが表示しようとする時間に達したら、時間設定ボタンを離し、これにより、時間設定のために何度もボタンを押す不便を排除し、同様の方法で分設定ボタンを押し分を設定し、さらに同様の方法で秒設定ボタンを押し秒を設定し、設定時間は最多で99時間99分59秒で、もし該液晶モニタが４桁の数字である場合には、先ず上記方法を使用し、分設定ボタンを押し分を設定し、続いて同様の方法で秒設定ボタンを押し秒を設定し、設定時間は最多で99分59秒で、
カウントダウンをスタートする場合には、該スタート／停止ボタンを押すと、該液晶モニタ上の数字は設定時間から１秒毎にカウントダウンし、カウントダウン時には、該液晶モニタは同時に一個或いは一個以上の図を表示し、動画画面を構成し、カウントダウンの完了後は、スピーカーは音を発し、図は音が停止するまで点滅し、該液晶モニタ上の数字は自動的に設定された時間を表示し、使用に知らせ、再度カウントダウンを設定する場合には、該リセットボタンを押し、上記操作を繰り返すことを特徴とする点滅図を表示する液晶モニタのタイマーである。
【考案の効果】
【０００５】
上記のように、本考案はコンパクトでポケットに入れ携帯し、或いは電器製品に設置し使用可能で、液晶モニタはアクティブでおもしろい図を連続表示し、動画效果を形成可能で、観賞機能を増強し、タイマー使用のおもしろみを強化することができる。
【考案を実施するための最良の形態】
【０００６】
図１及び図２に示すように、本考案のタイマーは、ケース1表面に液晶モニタ2、コントロールボタン3、スピーカー音孔41を設置する。
該ケース1はケース面11及びケース底部12に分けられ、該ケース面11とケース底部12はネジにより接続される。該ケース1はコンパクトであるため、ポケットに入れることができる。
該コントロールボタン3は分設定ボタン31、秒設定ボタン32、リセットボタン33、スタート／停止ボタン34を含む。
図2及び図3に示すように、本考案は内部に電池ボックス5、回路板(図示なし)、スピーカー4を設置する。
該電池ボックス5は1.5ボルトの電池を装置することができ、電源51として回路板に電気を供給する。該回路板と該液晶モニタ2、該コントロールボタン3、該スピーカー4は電気的に接続し、該スピーカー4は該スピーカー音孔41位置に対応し設置する。該回路板上にはタイマー機能、拡声機能及び液晶表示プログラムを制御するICを設置する。
図1に示すように、該液晶モニタ2は４桁の数字を表示し、最初の２桁の数字21は分を示し、数字21右上角の英文字m 211は分であることを表す。後ろの２桁の数字22は秒を示し、数字22右下角の英文字s 221は秒であることを表す。４桁の数字の左側には一組６個の異なる図を同時に表示することができる。該一組６個の異なる図は黒猫とその爪の絵23、黒猫の頭の絵24、黒猫の体の絵25、黒猫の尻尾の絵26、白猫が丸まっている絵27及び泣き声を表すmi miという英文字28を含む。該液晶モニタ2はIC設定のプログラムに基づき、連続し該６個の図を表示し、アクティブな画面を構成する。
【０００７】
本考案の使用時には、先ず該スタート／停止ボタン34を押し、本構造を起動すると、図4に示すように、該液晶モニタ2は先ず88分88秒及び黒猫とその爪の絵23、黒猫の頭の絵24、黒猫の体の絵25、黒猫の尻尾の絵26、白猫が丸まっている絵27及び泣き声を表すmi miという英文字28を含む６個すべての図を表示する。次に、該液晶モニタ2は00分00秒及び６個すべての図を点滅表示し、スタンバイ状態に入る。起動からスタンバイまでは２秒かかる。
【０００８】
実施例1
図5に示すように、使用者は０から時間計測をスタートし、ある時間に達し時間計測を停止した時、使用者は該液晶モニタ2からスタートから停止までの時間を知ることができる。
図5に示すように、本考案は先ずスタンバイ状態に入る。使用者が該スタート／停止ボタン34を押し、時間計測をスタートすると、該液晶モニタ2上の英文字m 211及び英文字s 221は毎秒点滅し、該液晶モニタ2上には秒の経過と共にこれまでの時間が計算され総計が表示される。最初の２桁の数字21は分を表し、後の２桁の数字22は秒を表す。
該液晶モニタ2上には同時に秒毎に異なる図を表示する。すなわち、最初の一秒は第一「黒猫とその爪の絵23」、次の一秒、つまり二秒目は第一「黒猫とその爪の絵23」及び第二「黒猫の頭の絵24」、次の一秒、つまり三秒目は第一「黒猫とその爪の絵23」、第二「黒猫の頭の絵24」及び第三「黒猫の体の絵25」、次の一秒、つまり四秒目は第一「黒猫とその爪の絵23」、第二「黒猫の頭の絵24」、第三「黒猫の体の絵25」及び第四「黒猫の尻尾の絵26」、次の一秒、つまり五秒目は第一「黒猫とその爪の絵23」、第二「黒猫の頭の絵24」、第三「黒猫の体の絵25」、第四「黒猫の尻尾の絵26」及び第五「白猫が丸まっている絵27」を表示し、六秒目は図を表示しない。七秒目は第一「黒猫とその爪の絵23」、次の一秒、つまり八秒目は第一「黒猫とその爪の絵23」及び第二「黒猫の頭の絵24」を表示し、これを繰り返し、周回表示により動画画面を構成する。
時間計測を停止する時には、該スタート／停止ボタン34を押す。すると、該液晶モニタ2上にはスタート時間から時間計測停止までの時間が表示される。
該スタート／停止ボタン34を押さないなら、本考案は時間計測を続け、該液晶モニタ2上の表示時間は99分59秒まで計測され、時間計測を停止する。その後、自動的に00分00秒及び６個すべての図を再び表示し、スタンバイ状態を回復する。
再び時間計測を開始する場合には、該スタート／停止ボタン34を押す。
【０００９】
実施例2
次に本考案の別種の実施例を示す図6に示すように、使用者は予め時間計測の制限を設定しカウントダウンし、設定時間になると音を発して使用者に設定時間が来たことを知らせることができる。
図6に示すように、本考案は最初スタンバイ状態にあり、使用者は先ず時間を設定する。例えば、28分36秒であるなら、該分設定ボタン31を押し28分に設定する。該分設定ボタン31を一回押す毎に、該液晶モニタ2が表示する分は「１」増える。該分設定ボタン31を押し続けるなら、該液晶モニタ2が表示する「分」は急速に増加し、該液晶モニタ2が28分を表示したところで、使用者は該分設定ボタン31から指を離す。こうして、28分を設定するために何度もボタンを押す必要を排除することができる。使用者は同様の方法で該秒設定ボタン32を押し、秒を36秒に設定する。設定時間は最高99分59秒である。
カウントダウンスタート時は、該スタート／停止ボタン34を押す。該スタート／停止ボタン34を押すと、該液晶モニタ2上の英文字m 211及び英文字s 221は１秒毎に点滅し、該液晶モニタ2上には同時に設定時間からの１秒毎にカウントダウンされた時間が表示される。最初の２桁の数字21は分を表し、後の２桁の数字22は秒を表す。該液晶モニタ2上には同時に１秒カウントダウンされる毎に異なる図が表示される。一秒カウントダウンされると第一「黒猫とその爪の絵23」、二秒カウントダウンされると第一「黒猫とその爪の絵23」及び第二「黒猫の頭の絵24」、三秒カウントダウンされると第一「黒猫とその爪の絵23」、第二「黒猫の頭の絵24」及び第三「黒猫の体の絵25」、四秒カウントダウンされると第一「黒猫とその爪の絵23」、第二「黒猫の頭の絵24」、第三「黒猫の体の絵25」及び第四「黒猫の尻尾の絵26」、五秒カウントダウンされると第一「黒猫とその爪の絵23」、第二「黒猫の頭の絵24」、第三「黒猫の体の絵25」、第四「黒猫の尻尾の絵26」及び第五「白猫が丸まっている絵27」を表示する。六秒カウントダウンされる時は図を表示せず、七秒カウントダウンされると第一「黒猫とその爪の絵23」を表示する。こうして周回表示を繰り返し、動画画面を構成する。
カウントダウンが終了すると、該液晶モニタ2上の英文字m 211及び英文字s 221は点滅を停止し、該スピーカー4は60秒間音を発する。この時、該液晶モニタ2上には00分00秒及び６個すべての図が表示され、６個すべての図は音が停止するまで点滅する。60秒で音が停止後は、６個すべての図は点滅を停止し、該液晶モニタ2上には28分36秒が表示され、使用者に設定した時間を知らせる。
再び時間を設定しカウントダウンを行う場合には該リセットボタン33を押し、上記操作を繰り返す。
【図面の簡単な説明】
【００１０】
【図１】本考案の外観正面指示図である。
【図２】本考案の外観背面指示図である。
【図３】本考案の本考案の電路図である。
【図４】本考案起動時の液晶モニタの指示図である。
【図５】本考案第一実施例の液晶モニタの指示図である。
【図６】本考案第二実施例の液晶モニタの指示図である。
【符号の説明】
【００１１】
1    ケース
2    液晶モニタ
3    コントロールボタン
4    スピーカー
41    スピーカー音孔
11    ケース面
12    ケース底部
31    分設定ボタン
32    秒設定ボタン
33    リセットボタン
34    スタート／停止ボタン
5    電池ボックス
【図１】
0003105908.tif 000003
【図２】
0003105908.tif 000004
【図３】
0003105908.tif 000005
【図４】
0003105908.tif 000006
【図５】
0003105908.tif 000007
【図６】
0003105908.tif 000008